(57)【要約】【課題】乗りかごのトランクや乗りかごの天井に荷物を搭載する場合の搬入時にはエレベータホールと昇降路とを隔てるホールドアや乗りかごのドアを通過する必要があるため、このホールドアの大きさを超える寸法の荷物には対応することができない。【解決手段】乗りかごの外側天井部に荷物搭載手段を設けると共に、ホールドアの上側に拡張ホールドアを設け、荷物搭載手段によって荷物を移送、運搬する際にはホールドアと拡張ホールドアを開き、これらの開口部分を通して荷物を荷物搭載手段に搬入、及び荷物搭載手段から搬出するようにしたものである。【選択図】図１
2013151358.tif 000002
【特許請求の範囲】
【請求項１】
少なくとも建築物に配置された昇降路を移動する乗りかごと、前記乗りかごを昇降させる巻上機と、前記乗りかごと前記巻上機とをつなぐロープと、前記建築物の各階に位置するエレベータホールのホールドアと、前記乗りかごの運行管理や前記ホールドア等の開閉を制御する制御装置とを備えてなるエレベータ装置において、
前記乗りかごの外側天井部に荷物搭載手段を設けると共に、前記ホールドアの上側に拡張ホールドアを設け、前記荷物搭載手段によって荷物を移送、運搬する際には前記ホールドアと前記拡張ホールドアを開き、これらの開口部分を通して荷物を前記荷物搭載手段に搬入し、及び前記荷物搭載手段から搬出することを特徴とするエレベータ装置。
【請求項２】
請求項１に記載のエレベータ装置において、
前記制御装置は少なくとも乗りかごの通常運行を行う通常運行モードを実行する機能と、乗りかごによる荷物の移送、運搬を行う荷物運搬モードを実行する機能を備えていることを特徴とするエレベータ装置。
【請求項３】
請求項２に記載のエレベータ装置において、
前記制御装置は前記乗りかごの荷物搭載手段に荷物を搬入する場合は前記荷物搭載手段と荷物を搬入する階の搬入床面とが程同一面になるように前記乗りかごの位置を決めると共に前記ホールドア、及び前記拡張ホールドアを開放する機能と、
前記乗りかごの荷物搭載手段から荷物を搬出する場合は前記荷物搭載手段と荷物を搬出する階の搬出床面とが程同一面になるように前記乗りかごの位置を決めると共に前記ホールドア、及び前記拡張ホールドアを開放する機能と
を備えていることを特徴とするエレベータ装置。
【請求項４】
請求項１に記載のエレベータ装置において、
前記ホールドアは左右に開閉できるドアであり、前記拡張ホールドアも前記ホールドアと同期して左右に開閉できるドアであることを特徴とするエレベータ装置。
【請求項５】
請求項１に記載のエレベータ装置において、
前記建築物の各階に位置するエレベータホールのホールドアの横の壁面には荷物運搬用の操作パネルが設置されていることを特徴とするエレベータ装置。
【請求項６】
少なくとも建築物に配置された昇降路を移動し外側天井部に荷物搭載手段を有した乗りかごと、前記乗りかごを昇降させる巻上機と、前記乗りかごと前記巻上機とをつなぐロープと、前記建築物の各階に位置するエレベータホールのホールドア及び前記ホールドアの上側に位置する拡張ホールドアと、前記乗りかごの運行管理や前記ホールドア等の開閉を制御する制御装置とを備えてなるエレベータ装置において、
前記制御装置は、
前記乗りかごの荷物搭載手段に荷物を搬入する場合は前記荷物搭載手段と荷物を搬入する階の搬入床面とが程同一面になるように前記乗りかごの位置を決めると共に前記ホールドア、及び前記拡張ホールドアを開放し、
前記乗りかごの荷物搭載手段から荷物を搬出する場合は前記荷物搭載手段と荷物を搬出する階の搬出床面とが程同一面になるように前記乗りかごの位置を決めると共に前記ホールドア、及び前記拡張ホールドアを開放する
ことを特徴とするエレベータ装置を使用した荷物の運搬方法。
【請求項７】
請求項６に記載のエレベータ装置を使用した荷物の運搬方法において、
前記制御装置は、
前記乗りかごの荷物搭載手段に荷物を搬入する場合は前記荷物搭載手段と荷物を搬入する階の搬出床面とが程同一面になるように前記乗りかごを移動して位置を決めると共に前記ホールドア、及び前記拡張ホールドアを開放し、
その後に前記ホールドア、及び前記拡張ホールドアを閉じて前記乗りかごのドアが前記搬入床面上で開閉される位置に乗りかごを移動して再び前記ホールドア、及び前記拡張ホールドアを開放し、
前記乗りかごの荷物搭載手段から荷物を搬出する場合は前記乗りかごのドアが前記搬入床面上で開閉される位置に乗りかごを移動して前記ホールドア、及び前記拡張ホールドアを開放し、
その後に前記ホールドア、及び前記拡張ホールドアを閉じて前記荷物搭載手段と荷物を搬出する階の搬出床面とが程同一面になるように前記乗りかごを移動して位置を決めると共に前記ホールドア、及び前記拡張ホールドアを再び開放する
ことを特徴とするエレベータ装置を使用した荷物の運搬方法。
【発明の詳細な説明】
【技術分野】
【０００１】
本発明は建築物に設けられた昇降路を移動する乗りかごに乗客や荷物を搭載して所定階に移送、運搬するエレベータ装置及びエレベータ装置を使用した荷物の運搬方法に係り、特にエレベータホールのホールドア、或いは乗りかごのドアより長い荷物を搭載することができるエレベータ装置及びエレベータ装置を使用した荷物の運搬方法に関するものである。
【背景技術】
【０００２】
一般的にエレベータ装置で荷物を移送、運搬する場合では、乗りかごの縦方向、横方向及び奥行き方向の寸法を上回る大きさの荷物を移送、運搬することができない。
【０００３】
また、エレベータホールのホールドアの開放面積が乗りかごのドアの間口寸法よりも小さい場合では移送、運搬ができる荷物の大きさは更に制限される場合が多い。
【０００４】
このような課題を解決する方法としては、特開２０１１−３７６１７号公報（特許文献１）に示されているように、長尺物を運搬する際に乗りかご内の空間を拡張して長尺物の一部を格納するためのトランクが設けられたエレベータ装置が提案されている。
【０００５】
特許文献１に記載の技術は、乗りかご側面に乗りかご空間を拡張するためのトランクが設けられ、乗りかごとトランクとの境は通常時は扉等で隔てられている。そして、乗りかごに救護用ストレッチャー等の長尺な荷物を乗せる際に、この扉を開放することで乗りかごの室内空間を拡張して長尺な荷物を乗りかご内に搭載して移送、運搬することが可能となるものである。
【０００６】
また、このトランクを構成する構造体の一面が開閉式の扉状となっており、エレベータ装置を保守する際に保守員がトランク部に搭乗して扉を開放することで、乗りかごを利用して昇降路のトランク周辺部を保守点検することを可能としている。
【０００７】
更に、この他に実開昭５８−１９１１８１号公報（特許文献２）に示されているように、乗りかごの外側の天井面に作業者や荷物を乗せて移送、運搬するようにして乗りかごの内側空間以外の空間を利用するエレベータ装置が提案されている。
【０００８】
特許文献２に記載の技術は、乗りかごの天井に作業者や荷物を乗せて移動するもので、主にエレベータ据付作業時に作業員が使用することを想定している。このための手摺や作業用の器具を取付けることで、乗りかごを従来の仮設作業床の代わりとして使用できるようにしている。このような特許文献２の技術では、乗りかごの天井を荷物搭載空間として利用するため、搭載可能な荷物の大きさは乗りかごの室内寸法には制限されない良い点がある。
【先行技術文献】
【特許文献】
【０００９】
【特許文献１】特開２０１１−３７６１７号公報
【特許文献２】実開昭５８−１９１１８１号公報
【発明の概要】
【発明が解決しようとする課題】
【００１０】
ところで、高層階にイベント会場等の施設を有する建築物においては、そのイベント内容によってはかなり長い構造物（脚立や看板等）、或いは材料素材（木材や樹脂パネル等）を用いて会場を設営することがある。
【００１１】
しかしながら、特許文献１や特許文献２に記載の技術では乗りかごのトランクや乗りかごの天井に荷物を搭載する場合の搬入時にはエレベータホールと昇降路とを隔てるホールドアや乗りかごのドアを通過する必要があるため、このホールドアの大きさを超える寸法の荷物には対応することができないという問題があった。
このため、階段やクレーンを用いて長い構造物（脚立や看板等）、或いは材料素材（木材や樹脂パネル等）を運び入れることが必要となり、設営等に費やすコストや時間が多くかかるという課題があった。
【００１２】
本発明の目的は、エレベータホールと昇降路とを隔てるホールドアや乗りかごのドアより大きい荷物を乗りかごに乗せて移送、運搬することができるエレベータ装置及びエレベータ装置を使用した荷物の運搬方法を提供することにある。
【課題を解決するための手段】
【００１３】
本発明の特徴は、乗りかごの外側天井部に荷物搭載手段を設けると共に、ホールドアの上側に拡張ホールドアを設け、荷物搭載手段によって荷物を移送、運搬する際にはホールドアと拡張ホールドアを開き、これらの開口部分を通して荷物を荷物搭載手段に搬入し、及び荷物搭載手段から搬出するようにしたものである。
【発明の効果】
【００１４】
本発明によれば、エレベータホールと昇降路とを隔てるホールドアや乗りかごのドアより大きい荷物を乗りかごに乗せて移送、運搬することができるものである。
【図面の簡単な説明】
【００１５】
【図１】本発明の一実施例になる建築物に設けられたエレベータ装置の概略を示す概略構成図である。
【図２】本発明の一実施例になるエレベータ装置を構成する乗りかごの上部斜視図である。
【図３】本発明の一実施例になるエレベータ装置のエレベータホールのホールドア付近の斜視図である。
【図４】本発明の一実施例になるエレベータ装置のエレベータホールに設けられた荷物運搬専用の操作パネルを示す斜視図である。
【図５】本発明の一実施例になるエレベータ装置の荷物運搬方法を実施する荷物運搬モードのフローチャート図である。
【発明を実施するための形態】
【００１６】
次に本発明の一実施例になるエレベータ装置を図面に基づき詳細に説明すると、図１は建築物に設けられたエレベータ装置を示している。
【００１７】
図１において、参照番号１は高層ビル等の建築物であり、この建築物１の高層階２は例えばイベント会場等が設営可能な階層である。そして、このイベントに使用する構造物（脚立や看板等）、或いは材料素材（木材や樹脂パネル等）は地上の低層階３から搬入されるものである。
【００１８】
建築物１の低層階３と高層階２とはエレベータ装置の昇降路１０が貫通して接続されており、内部を乗りかご７が移動して昇降するものである。乗りかご７はロープ１２に連結、固定されており、周知の通り巻上機１１によってロープ１２を巻き上げて乗りかご７を移動させるものである。昇降路１０の底部には緩衝器１３が固定され、乗りかご７が意図しないで下降してきた時の緩衝作用の機能を持たせている。これらの構成は周知のエレベータ装置の構成である。
【００１９】
次に本発明の特徴部分について説明すると、各階層のエレベータホールには乗りかご７のドアの開閉に同期して開閉される通常のホールドア８と、このホールドア８の上側に配置された拡張ホールドア９が設けられている。
【００２０】
乗りかご７の外側天井には荷物搭載板５が設けられており、この荷物搭載板５に荷物６が搭載されて移送、運搬されるようになっている。図１の状態は低層階３で荷物６を搬入している状態を示しており、乗りかご７は通常の停止位置より更に下に降下して停止している。
【００２１】
この状態で荷物搭載板５と低層階３の床面４とは同一の面上に位置するように巻上機１１、及びブレーキ機構が制御されている。しかもこの時は、ホールドア８、及び拡張ホールドア９は共に開かれた状態になっており、この大きな開口面を通して荷物６が荷物搭載板５に搬入、搭載されるものである。
【００２２】
そして、荷物６を荷物搭載板５に搬入し終えると乗りかご７は巻上機１１によって上昇運転されて、例えばイベント会場である高層階２に到着するが、この時にもホールドア８、及び拡張ホールドア９は共に開かれた状態になっており、この大きな開口面を通して荷物６が荷物搭載板５から搬出されて、イベント会場に運び込まれるものである。以上が本発明の一実施例になるエレベータ装置のおおよその構成であるが、次にその具体的な構成と作動について説明する。
【００２３】
図２は乗りかご７の斜視図であり、乗りかご７には周知のドア７Ａが設けてあり、このドア７Ａはホールドア８と同期して開閉されるものであるが、通常のエレベータ装置の運行状態（通常運行モード）とは別の荷物運搬モードにあってもホールドア８と同期して開閉されるものである。
【００２４】
乗りかご７の外側天井部７Ｂにはスタンド５Ａに支持された荷物搭載板５が載置されており、この荷物搭載板５の中央部には乗りかご７を吊り下げておくロープ１２の挿通孔５Ｂが形成されている。荷物搭載板５と乗りかご７の外側天井部７Ｂの間にはバッテリ、制御盤、保守点検用の操作パネル等が配置されている。
【００２５】
図３にはエレベータホールＥＨ付近を示しており、昇降路１０の開口部には通常のホールドア８が設けられている。そして、このホールドア８の上部には拡張ホールドア９が設けられており、通常運行モードの場合はこの拡張ホールドア９は閉じられているが、荷物運搬モードの場合では拡張ホールドア９は開かれる状態となるように構成されている。尚、図面上はホールドア８と拡張ホールドア９の間は隙間ｇを開けているが、実際にはこの隙間ｇは両ホールドア８，９が相互に干渉しない程度の隙間に設定されるものである。
【００２６】
一般的にはホールドア８は図示しない電動機によって開閉されるが、拡張ホールドア９も同様に電動機で開閉されるようにしても良い。ただ、コストを低減するためには拡張ホールドア９を開閉するための電動機を省略してホールドア８用の電動機を使用することができる。
【００２７】
この場合は荷物運搬モードの起動を条件としてホールドア８の開閉に合わせてホールドア８に設けた電磁的に駆動される連動機構によって拡張ホールドア９を開閉するように構成することができる。
【００２８】
例えば、ホールドア８の上部に電磁的に飛び出す係合ピンを設け、拡張ホールドア９の下側にこの係合ピンが挿通する挿通孔を形成して、荷物運搬モードに限りこの係合ピンを駆動するようにすれば、ホールドア８と拡張ホールドア９を同期して開閉することが可能となる。
【００２９】
尚、拡張ホールドア９はホールドア８と同様に左右に開く構成を開示したが、この他に上側に回転しながら開く跳ね上げ式や、上下に移動するシャッター式のドアとしても差し支えないものである。
【００３０】
また、エレベータホールＥＨのホールドア８の横の壁面には操作パネル４５が取り付けられ、このパネル４５に荷物運搬専用モードへの移行、及び移行後の操作指示を行う荷物運搬モード専用の操作パネルが設けてある。この操作パネルはエレベータホールＥＨのかご呼びボタン１４の下側に備え付けた専用の操作パネルである。
【００３１】
図４に示すように、操作パネル４５には施錠可能な扉１５が取付けてあり、通常運行モード時は閉扉しておくことで操作パネルへの誤接触による不要なモード変更動作を防止できる。また扉１５を施錠式とすることで荷物運搬専用モードの使用者を限定して悪戯や危険防止が図れるようにしている。
【００３２】
操作パネル４５は、乗りかご７の呼びを行う呼びボタン１６、荷物の搬入完了を指示する搬入完了ボタン１７、荷物の搬出開始を指示する搬出開始ボタン１８、荷物の搬出完了を指示する搬出完了ボタン１９等より構成されている。
【００３３】
このような乗りかご７とエレベータホールＥＨを備えたエレベータ装置において次に荷物を運搬するプロセスを説明する。
【００３４】
本実施例になるエレベータ装置の運転モードは、少なくとも一般的なエレベータ装置と同様に運行される「通常運行モード」と、荷物を運搬する「荷物運搬モード」を備えている。以下では「荷物運搬モード」について図５に基づき説明する。この荷物運搬モードによる乗りかご７の制御や、ホールドア８、及び拡張ホールドア９制御は図示しないコンピュータを使用した制御装置によって実行されるようになっている。
【００３５】
荷物を移送、運搬する作業者が乗りかご７を荷物運搬専用モードで呼ぶ際は、まず操作パネル４５の扉１５の施錠を開放して操作パネル４５を使用できる状態にする。この時、図５に示すフローチャートは所定時間毎の定時割り込みタイミングで起動されている。
【００３６】
次に操作パネル４５の荷物運搬モード専用の呼びボタン１６を押下すると、ステップ２１にて荷物運搬モード専用の呼びボタン１６が押されたことが判定される。呼びボタン１６が押されていない通常運行モードの場合はステップ２３に進んで、通常運行モードの実行を行う。
【００３７】
ステップ２１で呼びボタン１６が押されたことを判定するとステップ２２に進んで荷物運搬前処理を実行する。ここで、荷物運搬前処理では呼びボタン１６が押される前の乗りかご７が実行中の運行処理を終えて乗客が全て降りた状態にする。
【００３８】
したがって、呼びボタン１６が押される前の通常のかご呼びにかかるサービスが終了してから実質的な荷物運搬モードが機能するようになる。尚、呼びボタン１６が押された後の通常のかご呼びのリクエストは受け付けないようになる。
【００３９】
ステップ２２で荷物運搬前処理が終了するとステップ２４に進んで乗りかご７は荷物運搬モード専用の呼びのあった階に移動する。ここでは、呼びのあった階は低層階３としている。ステップ２４で乗りかご７が呼びのあった低層階３に到着すると、ステップ２５にて規定の荷物搬入位置に乗りかご７のかご止めを実行する。
【００４０】
ここでは、乗りかご７の外側天井部７Ｂに載置した荷物搭載板５の位置を荷物配置部位とし、これを低層階３の床面４と略同一水平面に位置するように乗りかご７を移動させた状態を規定の荷物搬入位置としている。
【００４１】
乗りかご７の位置決めが終了するとステップ２６に進んで、低層階３のホールと昇降路１０とを隔てるホールドア８、及び拡張ホールドア９を大きく開放する。この開放は上述した通りである。
【００４２】
この状態でエレベータホールＥＨの昇降路１０への開口面積は最大に開かれ、作業者は荷物搭載板５に荷物６を容易に搬入することができるようになる。作業者による荷物の搬入が終了した後、作業者は操作パネルの荷物搬入完了ボタン１７を押下することになる。
【００４３】
ここで、ステップ２６でのホールドア８、及び拡張ホールドア９の開放直後、或いは開放から所定の一定時間経過後に、「荷物の積み込みが終わったら、搬入完了ボタンを押してください」等の報知を行う機能を持たせることで、作業者に対する操作手順のアドバイス提供や、荷物搬入を中断した状態で搬入作業中である事自体を忘れている作業者に注意を促し、エレベータ装置の通常運行サービスの停止時間を短縮することが期待できる。
【００４４】
次にステップ２７において荷物搬入完了ボタン１７が押下されたことを判定すると、ステップ２８に進んで作業者を乗りかごに乗せるために、ホールドア８と拡張ホールドア９を閉じる。ステップ２７で荷物搬入完了ボタン１７が押されていないと判断するとこの状態を維持する。
【００４５】
ステップ２８でホールドア８と拡張ホールドア９を閉じると、ステップ２９に進んで低層階３の通常位置に乗りかご７を移動させて着床し、次にステップ３０に進んでホールドア８、及び乗りかご７のドア７Ａを開放する。
【００４６】
乗りかご７が通常位置で停止して乗りかご７のドア７Ａとホールドア８が開放されると作業者は乗りかご７を運転して荷物６を運搬するため、乗りかご７に乗り込んで行先階ボタンを押すことになる。ここでは行先階を高層階２として説明する。
【００４７】
作業者が高層階２である行先階のボタンを押すとステップ３１に進んで行先階ボタンが押下されたことを判定すると、ステップ３２に進んで乗りかご７のドア７Ａとホールドア８を閉じてステップ３３で乗りかご７を目的の行先階である高層階２に移動を行う。
【００４８】
目的の高層階２に到着後、ステップ３４で乗りかご７は作業者を乗りかごから降ろすため高層階２の通常位置に着床し、次にステップ３５にて乗りかご７のドア７Ａと目的の高層階２のホールドア８を開放する。
【００４９】
乗りかご７から降りた作業者は、高層階２のエレベータホールＥＨに備え付けられた、出発階である低層階３と同様の専用操作パネル４５にて扉１５を開いて荷物搬出開始ボタン１８を押下する。
【００５０】
ここで、ステップ３５でのホールドア８、及び拡張ホールドア９の開放直後、或いは開放から所定の一定時間経過後に、「荷物の積み込みが終わったら、搬入完了ボタンを押してください」等の報知を行う機能を持たせることで、作業者に対する操作手順のアドバイス提供や、荷物搬入を中断した状態で搬入作業中である事自体を忘れている作業者に注意を促し、エレベータ装置の通常運行サービスの停止時間を短縮することが期待できる。
【００５１】
この荷物搬出開始ボタン１８の押下があると、ステップ３６で荷物搬出開始ボタン１８が押下されたことを判定し、ステップ３７で乗りかご７のドア７Ａ、及びこの階のホールドア８を閉じる。ステップ３６で荷物搬出開始ボタン１８が押されていないと判断するとこの状態を維持する。
【００５２】
次に、ステップ３８に進んで規定の荷物搬出位置に乗りかご７のかご止めを実行する。ここでも、乗りかご７の外側天井部７Ｂに載置した荷物搭載板５の位置を荷物配置部位とし、これを高層階２の床面４と略同一水平面に位置するように乗りかご７を移動させた状態を規定の荷物搬出位置としている。
【００５３】
乗りかご７の位置決めが終了するとステップ３９に進んで、高層階２のホールと昇降路１０とを隔てるホールドア８、及び拡張ホールドア９を大きく開放する。
【００５４】
この状態でエレベータホールＥＨの昇降路１０への開口面積は最大に開かれ、作業者は荷物搭載板５から荷物６を容易に搬出することができるようになる。作業者による荷物の搬出が終了した後、作業者は操作パネル４５の荷物搬出完了ボタン１７を押下することになる。
【００５５】
ステップ４０で荷物搬出完了ボタン１９が押下されたことを判定すると、ステップ４１に進んでホールドア８と拡張ホールドア９を閉じる。ステップ４０で荷物搬出完了ボタン１９が押されていないと判断するとこの状態を維持する。
【００５６】
ステップ４０でホールドア８と拡張ホールドア９が閉じられると、次にステップ４２に進んで乗りかご７を高層階２の通常位置に着床させ、次にステップ４３で乗りかご７のドア７Ａ、及びこの階のホールドア８を開放し、このフローチャートを終了する。
【００５７】
したがって、次の「荷物運搬モード」の要求がなければステップ２３の通常運行モードに復帰する。
【００５８】
尚、図１の実施例では荷物配置位置を乗りかご７の外側天井部７Ｂとしたため、最下階での荷物の搬入や搬出を行う場合はピット深さを乗りかご７の分だけ深くする必要がある。また、最上階での荷物の搬入や搬出を行う場合はオーバヘッド寸法を大きく取る必要がある。
【００５９】
以上の実施例では操作パネル４５を各階のエレベータホールＥＨのホールドアの横の壁面に設けて、エレベータホールＥＨで荷物運搬モードを実行するようにしていた。このため最低でも１人で荷物の移送、運搬作業を行うことができる。
【００６０】
これに対して、操作パネル４５を乗りかご７に設ける場合は乗りかご７内で操作パネル４５を操作する作業者と、エレベータホールＥＨで荷物を乗りかご７の荷物搭載板５に搬入及び搬出する作業者の２人以上が必要となるが操作パネル４５が乗りかご７の一ヶ所で良いのでエレベータ装置の構成を簡略化でき、また操作パネルの設置費用も低く抑えることができる。
【００６１】
この実施例を以下に説明するが、操作パネル４５は乗りかご７内に設置されているものであり、またそのフローチャートは図５に示したものと類似しているので図５を用いて説明する。
【００６２】
そして、乗りかご７に乗車している作業者を「作業者Ａ」と称し、エレベータホールＥＨで荷物の搬入、搬出を行う作業者を「作業者Ｂ」と称する。
【００６３】
乗りかご７に乗っている作業者Ａは操作パネル４５の荷物運搬モード専用の呼びボタン１６７を押下すると、ステップ２１にて荷物運搬モード専用の呼びボタン１６が押されたことが判定される。呼びボタン１６が押されていない通常運行モードの場合はステップ２３に進んで、通常運行モードの実行を行う。
【００６４】
ステップ２１で呼びボタン１６が押されたことを判定するとステップ２２に進み荷物運搬前処理を実行する。ここで、荷物運搬前処理では呼びボタン１６が押される前の乗りかご７が実行中の運行処理を終え乗客が全て降りた状態にする。
【００６５】
したがって、呼びボタン１６が押される前の通常のかご呼びにかかるサービスが終了してから実質的な荷物運搬モードが機能するようになる。尚、呼びボタン１６が押された後の通常のかご呼びのリクエストは受け付けないようになる。
【００６６】
ステップ２２で荷物運搬前処理が終了するとステップ２４に進んで乗りかご７は荷物運搬モード専用の呼びのあった階に移動する。ここでは、呼びのあった階は低層階３としている。ステップ２４で乗りかご７が呼びのあった低層階３に到着すると、ステップ２５にて規定の荷物搬入位置に乗りかご７のかご止めを実行する。
【００６７】
ここでは、乗りかご７の外側天井部７Ｂに載置した荷物搭載板５の位置を荷物配置部位とし、これを低層階３の床面４と略同一水平面に位置するように乗りかご７を移動させた状態を規定の荷物搬入位置としている。したがって、作業者Ａは乗りかご７から出入りすることができない。このため、エレベータホールＥＨには荷物の搬入のための作業者Ｂが待機している。
【００６８】
乗りかご７の位置決めが終了するとステップ２６に進んで、低層階３のホールと昇降路１０とを隔てるホールドア８、及び拡張ホールドア９を大きく開放する。この開放は上述した通りである。
【００６９】
この状態でエレベータホールＥＨの昇降路１０への開口面積は最大に開かれ、エレベータホールＥＨに待機していた作業者Ｂは荷物搭載板５に荷物６を容易に搬入することができるようになる。作業者Ｂによる荷物の搬入が終了した後、作業者Ａは操作パネルの荷物搬入完了ボタン１７を押下することになる。
【００７０】
次にステップ２７において荷物搬入完了ボタン１７が押下されたことを判定すると、ステップ２８に進んで作業者Ｂを乗りかごに乗せるために、ホールドア８と拡張ホールドア９を閉じる。ステップ２７で荷物搬入完了ボタン１７が押されていないと判断するとこの状態を維持する。
【００７１】
ステップ２８でホールドア８と拡張ホールドア９を閉じると、ステップ２９に進んで低層階３の通常位置に乗りかご７を移動させて着床し、次にステップ３０に進んでホールドア８、及び乗りかご７のドア７Ａを開放する。
【００７２】
乗りかご７が通常位置で停止して乗りかご７のドア７Ａとホールドア８が開放されると作業者Ｂは乗りかご７に乗り込み、更に荷物６を運搬するため、作業者Ａは乗りかご７の行先階ボタンを押すことになる。ここでは行先階を高層階２として説明する。
【００７３】
作業者Ａが高層階２である行先階のボタンを押すとステップ３１に進んで行先階ボタンが押下されたことを判定すると、ステップ３２に進んで乗りかご７のドア７Ａとホールドア８を閉じてステップ３３で乗りかご７を目的の行先階である高層階２に移動を行う。
【００７４】
目的の高層階２に到着後、ステップ３４で乗りかご７は作業者Ｂを乗りかごから降ろすため高層階２の通常位置に着床し、次にステップ３５にて乗りかご７のドア７Ａと目的の高層階２のホールドア８を開放する。
【００７５】
乗りかご７から降りた作業者ＢはエレベータホールＥＨで荷物の搬出を行うべく待機する。ここで乗りかご７内の作業者Ａは荷物搬出開始ボタン１８を押下する。
【００７６】
この荷物搬出開始ボタン１８の押下があると、ステップ３６で荷物搬出開始ボタン１８が押下されたことを判定し、ステップ３７で乗りかご７のドア７Ａ、及びこの階のホールドア８を閉じる。ステップ３６で荷物搬出開始ボタン１８が押されていないと判断するとこの状態を維持する。
【００７７】
次に、ステップ３８に進んで規定の荷物搬出位置に乗りかご７のかご止めを実行する。ここでは、乗りかご７の外側天井部７Ｂに載置した荷物搭載板５の位置を荷物配置部位とし、これを高層階２２の床面４と略同一水平面に位置するように乗りかご７を移動させた状態を規定の荷物搬出位置としている。
【００７８】
乗りかご７の位置決めが終了するとステップ３９に進んで、高層階２のホールと昇降路１０とを隔てるホールドア８、及び拡張ホールドア９を大きく開放する。
【００７９】
この状態でエレベータホールＥＨの昇降路１０への開口面積は最大に開かれ、作業者Ｂは荷物搭載板５から荷物６を容易に搬出することができるようになる。作業者Ｂによる荷物の搬出が終了した後、作業者Ａは操作パネル４５の荷物搬出完了ボタン１７を押下することになる。
【００８０】
ステップ４０で荷物搬出完了ボタン１９が押下されたことを判定すると、ステップ４１に進んでホールドア８と拡張ホールドア９を閉じる。ステップ４０で荷物搬出完了ボタン１９が押されていないと判断するとこの状態を維持する。
【００８１】
ステップ４０でホールドア８と拡張ホールドア９が閉じられると、次にステップ４２に進んで乗りかご７を高層階２の通常位置に着床させ、次にステップ４３で乗りかご７のドア７Ａ、及びこの階のホールドア８を開放し、このフローチャートを終了する。
【００８２】
したがって、次の荷物運搬モードの実行を監視することになり、この時には作業者Ａ及び作業者Ｂはすでに荷物の移送、運搬作業を終了しているので、別の「荷物運搬モード」の要求がなければステップ２３の通常運行モードに復帰する。
【００８３】
このように、操作パネル４５を乗りかご７に設ける場合は乗りかご７内で操作パネル４５を操作する作業者と、エレベータホールＥＨで荷物を乗りかご７の荷物搭載板５に搬入及び搬出する作業者の２人以上が必要となるが、操作パネル４５が乗りかご７の一ヶ所で良いのでエレベータ装置の構成を簡略化でき、また操作パネルの設置費用も低く抑えることができる。
【符号の説明】
【００８４】
１…建築物、２…高層階、３…低層階、４…低層階の床面、５…荷物搭載板、６…荷物、７…乗りかご、７Ａ…ドア、７Ｂ…外側天井部、８…ホールドア、９…拡張ホールドア、１０…昇降路、１１…巻上機、１２…ロープ、１３…緩衝器、１４…エレベータホールのかご呼びボタン、１５…荷物運搬モード専用操作パネルの扉、１６…荷物運搬モード専用かご呼びボタン、１７…荷物運搬モード専用荷物搬入完了ボタン、１８…荷物運搬モード専用荷物搬出開始ボタン、１９…荷物運搬モード専用荷物搬出完了ボタン、４５…操作パネル。
【図１】
2013151358.tif 000003
【図２】
2013151358.tif 000004
【図３】
2013151358.tif 000005
【図４】
2013151358.tif 000006
【図５】
2013151358.tif 000007